(57)【要約】【課題】従来技術の固定装置の欠点を解消し、より低い原価で、使用が容易な太陽光パネルの固定装置を提案する。【解決手段】太陽光パネルの固定装置（１）が、太陽光パネルの平行な二つの縁部との、または太陽光パネル（Ｐ）のフレームの平行な二つのウィングとの協働によって太陽光パネルを保持するための保持手段（２）を含み、該装置が、太陽光パネルの平行な二つの縁部と、または太陽光パネルのフレームの平行な二つのウィングと協働する部品（３、４；５、６）を備える前記保持手段を含み、各部品はフレームのある太陽光パネルのフレーム（Ｃ）のウィングを収容する、またはフレームのない太陽光パネルの縁部を収容するためのスリット（７）を有し、それによって、少なくとも太陽光パネルに垂直な方向に沿って、および太陽光パネルの平面に平行でスリットの軸線に垂直な方向に沿って太陽光パネルの不動化を確保する。【選択図】図２
2015520306.tif 000002
【特許請求の範囲】
【請求項１】
フレームのある、またはフレームのない太陽光パネルの固定装置（１）であって、前記太陽光パネルの平行な二つの縁部との、または太陽光パネル（Ｐ）のフレームの平行な二つのウィングとの協働によって太陽光パネル（Ｐ）を保持するための保持手段（２）を含み、前記保持手段（２）は前記太陽光パネル（Ｐ）の平行な二つの縁部と、または太陽光パネル（Ｐ）のフレームの二つの平行なウィングと協働する部品（３、４；５、６；５’、６’）を含み、各部品はフレームのある太陽光パネル（Ｐ）のフレーム（Ｃ）のウィングを収容する、またはフレームのない太陽光パネル（Ｐ）の縁部を収容するためのスリット（７）を有し、それによって、少なくとも太陽光パネル（Ｐ）に垂直な方向に沿って、および太陽光パネル（Ｐ）の平面に平行でスリット（７）の軸線に垂直な方向に沿って太陽光パネルの不動化を確保する装置において、
部品（３、４；５、６；５’、６’）は各々、少なくともスリット（７）の位置ではエラストマ製であり、部品のスリット（７）の軸線に沿った太陽光パネル（Ｐ）の不動化は、弾性ピンチの作成ならびに、一方では前記部品（３、４；５、６；５’、６’）のエラストマ材料と、他方ではフレームのない太陽光パネル（Ｐ）またはフレームのある太陽光パネル（Ｐ）のフレーム（Ｃ）との間の摩擦によってのみ確保され、
前記保持手段は、太陽光パネル（Ｐ）の対向する二つの縁部または太陽光パネルのフレームの二つのウィングとのみ協働するように配置され、したがって、太陽光パネルはスリット（７）の軸線に沿って前記保持手段から突出して備えられることができることを特徴とする装置。
【請求項２】
部品（３、４；５、６）は各々、前記スリット（７）の他に、合成部品を支持部材に固定することを可能にするための固定用溝（９）を含み、その支持部材は前記固定用溝（９）内にはめ込むための補足リブ（１０）を有していることを特徴とする、請求項１に記載の装置。
【請求項３】
スリット（７）の軸線および固定用溝（９）の軸線は互いに平行であることを特徴とする、請求項２に記載の装置。
【請求項４】
固定用溝（９）はＴ字型の断面を呈していることを特徴とする、請求項２または３に記載の装置。
【請求項５】
部品（３、４）のスリット（７）は、相互に内部に向かって向き合っており、それによってフレームのない太陽光パネルを太陽光パネル（Ｐ）の平行な二つの縁部の位置で保持することが可能となることを特徴とする、請求項１〜４のいずれか一つに記載の固定装置。
【請求項６】
部品（５、６；５’、６’）のスリット（７）は外部の方へ向いており、それによって、フレームのある太陽光パネルのフレーム（Ｃ）をフレーム（Ｃ）の平行な二つのウィングの位置で保持することが可能となることを特徴とする、請求項１〜４のいずれか一つに記載の固定装置。
【請求項７】
部品（３、４；５、６）の少なくとも一つまたは各々は合成プロファイル（８）の形状であり、前記保持部品の前記スリット（７）は前記プロファイル（８）を縦断していることを特徴とする、請求項１〜６のいずれか一つに記載の装置。
【請求項８】
プロファイル（８）は、スリット（７）の側と対向する側に、前記保持部品（３、４；５、６）の本体と前記合成部品の可撓性ウィング（１２）との間に形成された、ケーブルを通過させるための凹部（１１）を有することを特徴とする、請求項７に記載の装置。
【請求項９】
一つの、または各部品はエラストマ製の一続きのプロファイル（８）の形状であることを特徴とする、請求項７または８に記載の装置。
【請求項１０】
前記保持部品（３、４；５、６）は合成部品であることを特徴とする、請求項１〜９のいずれか一つに記載の装置。
【請求項１１】
一つの、または各部品（５’、６’）は、特に金属のプロファイル（８５）およびエラストマベルト（８６）を含み、前記プロファイル（８５）は、前記エラストマベルト（８６）を収容する側方に開いた通路（８７）を備え、前記エラストマベルト（８６）を備える前記通路（８７）は、前記部品（５’、６’）のスリット（７）を構成することを特徴とする、請求項１〜６のいずれか一つに記載の装置。
【請求項１２】
前記プロファイル（８５）は、スリット（７）の側と反対の側に、前記保持部品の本体と前記プロファイルのウィング（１２）との間に形成されたケーブルが通過するための凹部（１１）を有することを特徴とする、請求項１１に記載の装置。
【請求項１３】
太陽光パネルおよび、太陽光パネルの保持を確保する請求項１〜１２に記載の固定装置を含む設備。
【請求項１４】
一つもしくは複数のプラスチック材料の押出成形または共押出成形によって合成材料製の前記プロファイル（８）を得ることを特徴とする、請求項７〜９のいずれか一つに記載の固定装置の製造方法。
【請求項１５】
‐太陽光パネル（Ｐ）のフレーム（Ｃ）の平行な二つのウィングを前記部品（５’、６’）のプロファイル（８５）の通路（８７）内へ設置し、かつ部品（５’、６’）のプロファイル（８５）を支持部材へ連結する段階と、
‐エラストマベルト（８６）を通路（８７）内へ強制的に挿入することによる、通路（８７）内における太陽光パネルの不動化段階
を含む、請求項１１または１２に記載の固定装置によって実施される、支持部材への太陽光パネルの設置方法。
【発明の詳細な説明】
【技術分野】
【０００１】
本発明は、フレームのある、またはフレームのない太陽光パネルの、前記太陽光パネルまたはそのフレームの二つの縁部の位置で太陽光パネルを保持するための、固定装置に関するものである。
【背景技術】
【０００２】
本発明の分野は、特に、例えば屋根組み、または例えばフローティングソーラー発電機のフローティングシステム上のような、建物の上にある太陽光パネルの設置および固定の分野である。
【０００３】
太陽光パネルは、多くの場合アルミニウム製フレームを備えており、各々パネルのフレームのウィングと結合される、機械加工された金属部品である装置によってパネルを固定することが公知である。
【０００４】
フレームのピンチ留めは、従来からねじ留めよってピンチのあご部分を締めることによって実施される。
【０００５】
様々なサイズの太陽光パネルを考慮できるように、レールを備え、それに沿ってピンチのうちの二つが移動することができ、次に調節可能な位置で固定され、パネルのフレームの二つの縁部を保持することができることがさらに公知である。
【０００６】
そのような固定技術は、例えば、特に表面が水平な屋根の上に太陽光パネルを設置するために用途が見いだされる支持モジュールについて記載する独国特許出願公開第１０２００９０１９５４８号明細書によって広く知られている。このモジュールは、調節可能な位置でのピンチ装置の上部に取り付けられた熱成形プラスチックシェルを含む。この装置は、その内部で二つのピンチが移動することができるレールを含む。ピンチをレール内の固定位置で不動化することは、不動化ねじを締めることによって得られる。ピンチは各々パネルのアルミニウムフレームと結合するようになっており、その締め付けは同様にねじ止めによって得られる。
【０００７】
しかしながら、機械加工された金属部品を必要とするこのような固定技術は、原価が高い。そのうえ、その技術は、パネルのサイズに応じてピンチの位置を調節し、さらに太陽光パネルを挟むことを確保するために、多数のねじを締めることが必要とされる。
【発明の概要】
【発明が解決しようとする課題】
【０００８】
本発明の目的は、従来技術の固定装置と比較して極めて低い原価で、使用が容易な太陽光パネルの固定装置を提案して、前記の欠点を解消することである。
【０００９】
本発明の別の目的は、太陽光パネルの固定、さらに設置台へ装置を連結するために道具を必要としない、そのような固定装置を提案することである。
【００１０】
本発明の別の目的は、様々なサイズの太陽光パネルを固定することができる、そのような固定装置を提案することである。
【００１１】
本発明のその他の目的および利点は、単に例として示した以下の説明から明らかになるであろうが、それに限定されるものではない。
【課題を解決するための手段】
【００１２】
したがって、本発明は、フレームのある、またはフレームのない太陽光パネルの固定装置であって、前記太陽光パネルの平行な二つの縁部との、または太陽光パネルのフレームの平行な二つのウィングとの協働によって太陽光パネルを保持するための保持手段を含み、前記保持手段は前記太陽光パネルの平行な二つの縁部と、または太陽光パネルのフレームの平行な二つのウィングと協働する部品を含み、各部品はフレームのある太陽光パネルのフレームのウィングを収容する、またはフレームのない太陽光パネルの縁部を収容するためのスリットを有し、それによって、少なくとも太陽光パネルに垂直な方向に沿って、および太陽光パネルの平面に平行でスリットの軸線に垂直な方向に沿って太陽光パネルの不動化を確保する装置に関するものである。
【００１３】
本発明によると、部品は各々、少なくともスリットの位置ではエラストマ製であり、スリットの軸線に沿った太陽光パネルの不動化は、弾性ピンチの作成ならびに、一方では前記部品のエラストマ材料と他方ではフレームのない太陽光パネルまたはフレームのある太陽光パネルのフレームとの間の摩擦によってのみ確保される。
【００１４】
有利には、保持手段は、太陽光パネルまたはそのフレームの対向する二つの縁部とのみ協働するように配置され、したがって、太陽光パネルはスリットの軸線に沿って前記保持手段から突出して備えられることができる。
【００１５】
単独でまたは組み合わせて取り上げられる本発明の選択的特徴によると、
‐品は各々、前記スリットの他に前記部品を支持部材に固定することを可能にするための固定用溝を含み、その支持部材は前記固定用溝内にはめ込むための補足リブを有し、
‐スリットの軸線および固定用溝の軸線は互いに平行であり、
‐固定用溝はＴ字型の断面を呈し、
‐部品のスリットは、相互に内部に向かって向き合っており、それによってフレームのない太陽光パネルを太陽光パネルの平行な二つの縁部の位置で保持することが可能となる、またはその代わりに、
‐部品のスリットは外部の方へ向いており、それによって、フレームのある太陽光パネルのフレームをフレームの平行な二つのウィングの位置で保持することが可能であり、
‐部品の少なくとも一つまたは各々は合成プロファイルの形状であり、前記保持部品の前記スリットは前記プロファイルを縦断しており、
‐プロファイルは、スリットの側と対向する側に、前記保持部品の本体と前記合成部品の可撓性ウィングとの間に形成された、ケーブルを通過させるための凹部を有し、
‐一つの、または各部品はエラストマ製の一続きのプロファイルの形状であり、
‐保持部品は合成部品である。
【００１６】
また、本発明は、一つもしくは複数のプラスチック材料の押出成形または共押出成形によって合成材料製の前記プロファイルが得られる、本発明にかかる固定装置の製造方法に関する。
【００１７】
別の一実施態様によると、保持手段の一つの、または各部品は、特に金属のプロファイルおよびエラストマベルトを含み、前記プロファイルは、前記エラストマベルトを収容する側方に開いた通路を備え、前記エラストマベルトを備える前記通路は、前記部品のスリットを構成する。
【００１８】
また、本発明は、部品が各々プロファイルおよびエラストマベルトを含む固定装置によって使用される支持部材への太陽光パネルの設置方法に関する。
【００１９】
この設置方法は、下記の、
‐太陽光パネルのフレームの平行な二つのウィングを前記部品のプロファイルの通路内へ設置し、かつ部品のプロファイルを支持部材へ連結する段階、
‐エラストマベルトを通路内へ強制的に挿入することによる、通路内における太陽光パネルの不動化段階
を含む。
【００２０】
また、本発明は、太陽光パネルおよび太陽光パネルの保持を確保する本発明にかかる固定装置を含む設備に関する。
【００２１】
本発明は、下記の添付図面を参照して行なわれる説明によってよりよく理解されるであろう。
【図面の簡単な説明】
【００２２】
【図１】図１は第一の実施態様による、一実施態様による固定装置の断面図であり、その装置はフレームのない太陽光パネルの対向する二つの縁部を直接挟む。
【図２】図２は第二の実施態様による固定装置の断面図であり、その装置はフレームのある太陽光パネルのフレームを挟む。
【図２ａ】図２ａは太陽光パネルの上方図であり、固定装置は透視されている。
【図３】図３はエラストマ材料製プロファイルの形状である保持部品の斜視図である。
【図４】図４は図３のプロファイルの嵌合による支持部材への固定を図示した、非限定的な一実施例による斜視図である。
【図５】図５は図４の断面図である。
【図６】図６は図５のプロファイルと太陽光パネルのフレームとの協働を図示している。
【図７】図７は本発明にかかる装置を介した、太陽光パネルのソーラー発電機上の固定を図示している。
【図８】図８は本発明にかかる装置のプロファイルの断面図であり、より詳細には、サイズΔは、一定の間隔のリブ上に様々な大きさの太陽光パネルを固定することができるように、変更可能である。
【図９】図９は本発明に係る固定装置の第二の実施態様の部分図である。
【図１０】図１０は図９の装置とのパネルの固定を図示する詳細図である。
【図１１】図１１は図９の装置とのパネルの固定を図示する詳細図である。
【図１２】図１２は図９による装置での太陽光パネルの保持を図示する断面図である。
【発明を実施するための形態】
【００２３】
したがって本発明は、フレームのある、またはフレームのない太陽光パネルの固定装置１であって、前記太陽光パネルＰの平行な二つの縁部との協働（すなわち図１）、またはその代わりに太陽光パネルＰのフレームの平行な二つのウィングとの協働（すなわち図２またはさらには図１２）によって、太陽光パネルＰを保持するための保持手段２を含む装置に関する。
【００２４】
本発明によると、前記保持手段２は、前記太陽光パネルの平行な二つの縁部と、または太陽光パネルＰのフレームＣの平行な二つのウィングと協働する、特に合成の部品３、４；５、６；５’、６’を含む。
【００２５】
前記部品は各々、合成材料で構成されているとき、エラストマのような単一プラスチックの鋳造、または押出成形によって、またはさらには複数のプラスチックを用いてオーバーモールド技術または共押出成形技術（ｔｅｃｈｎｉｑｕｅｓ  ｄｅ  ｓｕｒｍｏｕｌａｇｅ  ｏｕ  ｃｏｅｘｔｒｕｓｉｏｎ）によって得ることができる。
【００２６】
各部品は、フレームのある太陽光パネルＰのフレームＣのウィングを収容するための（すなわち図２または図１２）、またはその代わりにフレームのない太陽光パネル（Ｐ）の縁部を収容するための（すなわち図１）スリット７を有する。
【００２７】
太陽光パネルＰの保持部品３、４；５、６；５’、６’への固定は、太陽光パネル（またはそのフレーム）を保持手段２のスリット７に挿入することによって、道具具なしに実施することができる。
【００２８】
有利には、前記部品３、４；５、６；５’、６’のスリット７は、少なくとも太陽光パネルＰに垂直な方向に沿って、および太陽光パネルＰの平面に平行でかつスリット７の軸線に垂直な方向に沿って、太陽光パネルの不動化を確保する。
【００２９】
特許請求の範囲に含まれていない一実施態様によると、空間の第三の方向における、すなわちスリット７の軸線に沿ったパネルの不動化は、前記部品とは全く異なる不動化手段を介して得られる。
【００３０】
図示された本発明によると、部品３、４；５、６；５’、６’は各々、少なくともスリット７の位置ではエラストマ製であり、スリット７の軸線に沿った太陽光パネルＰの不動化は弾性ピンチの作成ならびに、一方では前記部品３、４；５、６；５’、６’のエラストマ材料と他方ではフレームのない太陽光パネルＰまたはフレームのある太陽光パネルＰのフレームＣとの間の摩擦によってのみ確保される。
【００３１】
好ましくは、保持手段２のスリット７は、太陽光パネルＰに平行な同一平面内に含まれる。
【００３２】
図１に図示した実施態様によると、部品３、４のスリット７は、相互に内部に向かって向き合うことができ、それによって太陽光パネルＰの平行な二つの縁部の位置で、フレームのない太陽光パネルを保持することができる。
【００３３】
図２またはさらには図１２に図示した別の実施態様によると、部品５、６；５’、６’のスリット７は外部の方へ向いており、それによってフレームＣの平行な二つのウィングの位置で、フレームのある太陽光パネルのフレームＣを保持することができる。
【００３４】
より厳密には、この後者の実施態様によると、パネルのフレームは、パネルの下方に配置されて突出した、合成部品５、６；５’、６’のスリット７によって保持されるためのウィングを含む。
【００３５】
有利には、および図２または図１２に図示したように、部品５、６はこの状態において、悪天候や紫外線からそれらを保護する太陽光パネルＰおよびそのフレームＣによって、少なくとも部分的に被覆されている。
【００３６】
非限定的な一実施態様によると、部品３、４；５、６の少なくとも一つまたは各々は、合成プロファイル８の形状であり、前記保持部品の前記スリット７は前記プロファイル８を縦断している。そのようなプロファイル８は、有利にはプラスチックの押出成形によって、または複数のプラスチックの共押出成形によって得られる。例えば、合成部品のプラスチックはＥｘｘｏｎＭｏｂｉｌ社のＳａｎｔｏｐｒｅｎｅTMのような熱可塑性エラストマまたは他の同等の市販品のいずれかであってよい。
【００３７】
より詳細には、特に互いに平行な二つのプロファイル８によって、フレームのない太陽光パネルＰの平行な二つの縁部、またはその代わりにフレームのある太陽光パネルの平行な二つのウィングを保持することができる。
【００３８】
特に合成の部品をその支持部材へ連結することを容易にするために、一つまたは各々の合成部品３、４；５、６は前記の縦方向スリット７の他に、補足リブ１０を有する支持部材に前記合成部品の固定を可能にするための、固定用溝９を含んでいてもよい。
【００３９】
この実施態様によると、前記部品８のその支持部材への連結は、特殊な工具なしに単に支持部材の補足リブ１０を、特にプロファイル８の前記合成部品３、４；５、６の溝９にはめ込むことによって得られる。一度設置すると、リブ方向に沿った前記合成部品の保持は、特に合成の前記部品の、特にエラストマ製の合成材料と、補足リブ１０の特にプラスチックの材料との間の摩擦によって容易に得られる。
【００４０】
固定用溝９は、Ｔ字型、鍵穴の形状（台形に組み合わされた円）、または補足リブ１０から前記合成部品３、４；５、６が引き抜かれて取り出されることを不可能にする他のいずれかの形状の、断面を有することができる。
【００４１】
好ましくは、固定用溝９の軸線はスリット７の軸線に平行である。前記部品３、４；５、６が合成プロファイル８である場合、スリット７および固定用溝９は押出成形の同一段階の際に得ることができる。
【００４２】
図示した一実施例によると、支持部材２０は、太陽光パネルの装着サイズに対応するサイズで互いに間隔をあけた、互いに平行な二つのリブ１０が備えられている上部表面上の、特に一続きの特にプラスチックの部品の形状であってよい。
【００４３】
一般的には、二つの補足リブ１０間の間隔は一定である。しかしながら、適合された合成部品、特に適合されたプロファイル８を選択することにより、様々なサイズのパネルをこれら二つのリブ１０に固定することができる。
【００４４】
より詳細には、スリット７の底部７０と固定用溝９との間で決定される図８に図示したサイズΔを操作して、パネル（またはそのフレーム）の二つの縁部を保持、特に挟むための二つのスリット７の底部７０間の間隔を調節し、このようにしてより低コストで様々なサイズのパネルを適合させることが可能である。そのような変更は、特に合成の前記部品がプロファイル８であるとき、またはプロファイル８５を含むときだけ、複数の押出成形用の押出しダイス（ｆｉｌｉｅｒｅｓ）の配置が必要とされるが、それは全く異なるサイズΔを有する複数のプロファイルを得るための安価な製造機器である。
【００４５】
一実施態様によると、合成材料製のプロファイル８は、特にスリット７の側と反対の側に電気ケーブルが通過するための凹部１１を有してよく、前記凹部は前記保持部品３、４、５、６の本体８１と前記保持部品の可撓性ウィング１２との間に形成される。
【００４６】
より詳細には、図３に図示したように、前記合成材料製のプロファイル８は、太陽光パネルＰまたはそのフレームＣを保持するための、プロファイルを縦断する前記スリット７を含む。このスリット７は、プロファイル８の特に弾性の上方ウィング８０とプロファイル８の本体８１との間に区画され、上方ウィング８０および本体８１は、プロファイル８の接合部分８２によって互いに接合されている。
【００４７】
このスリット７によって、太陽光パネルＰまたはそのフレームＣを、弾性の上方ウィング８０と本体８１との間に挟んで保持することが可能となる。このプロファイル８は、スリット７の開口部８３の位置に、パネルの引き抜き方向の摩擦を大きくするための逆止機能を有する歯８４を有してもよい。この歯８４は、スリット７の内側壁における本体８１の奥行きにおいて、三角形状の溝８５によって特に実現されている。
【００４８】
図３に図示したように、プロファイル８はまた、補足断面リブ１０へのプロファイルの嵌合によって固定するプロファイル８の下方部分の下に開口した、特に断面がＴ字型の固定用溝９を有してもよい。プロファイルはさらに、プロファイルの側方、前記スリット７と反対の側に、前記可撓性ウィング１２とプロファイルの本体８１との間に形成された、ケーブルが通過するための凹部１１を有してもよい。
【００４９】
有利には、本発明によると、保持手段は、太陽光パネルＰの対向する二つの縁部（またはフレームのある太陽光パネルのフレームＣの平行な二つのウィング）とのみ協働し、このようにして太陽光パネルは、図６に非限定的な実施例に応じて図示したように、前記スリットに平行な方向で前記保持手段２（すなわち部品３、４；５、６；５’、６’）から突出して備えられることができる。
【００５０】
したがって、保持される縁部の方向に沿った太陽光パネルのサイズは、組み立てを制約するものではない。
【００５１】
有利には、保持部品３、４；５、６；５’、６’のスリット７の深さは、太陽光パネルに平行な方向、かつ太陽光パネルの挟まれた縁部に垂直な方向に沿って余分にあってもよい。
【００５２】
この配置によって、膨張現象によるパネルおよび／または支持部材の寸法の変化を考慮することができ、したがってパネル（またはそのフレーム）が二つのスリット７の底部７０とぶつかることが回避される。
【００５３】
図９〜１２に図示した一実施態様によると、一つの、または各部品５’もしくは６’はプロファイル８５およびエラストマベルト８６を含み、前記プロファイル８５は、側方に開口して前記エラストマベルト８６を収容する通路８７を備えており、前記通路２７は前記部品のスリット７を構成する前記エラストマベルト８６を備える。
【００５４】
プロファイル８５は、例えばアルミニウム製などの金属であってよい。プロファイル８５の通路８７は、接合ウィング８９によってプロファイル８５の本体に接合されているプロファイルの上部ウィング８８の間に区画される。
【００５５】
また、プロファイル８５は、補足断面リブ１０へのプロファイルの嵌合によって固定するプロファイル８５の下方部分の下に開口した、特に断面がＴ字型の固定用溝９を有してもよい。プロファイルはさらに、プロファイルの側方、前記スリット７と反対の側に、ウィング１２’およびプロファイル８５の本体との間に形成された、ケーブルが通過するための凹部１１を有してもよい。
【００５６】
設置時、フレームのある太陽光パネルは、下記の
‐太陽光パネルＰのフレームＣの平行な二つのウィングを前記部品５’、６’のプロファイル８５の通路８７内へ設置し、かつ部品のプロファイル８５を支持部材へ連結する段階、
‐エラストマベルト８６を通路８７内へ強制的に挿入することによる、通路８７内における太陽光パネルＰの不動化段階、
によって、支持部材に連結され得る。
【００５７】
プロファイル８５の支持部材への連結は、プロファイルの固定用溝９内に支持部材の固定用リブをはめ込むことによって実施され得る。
【００５８】
場合によっては、固定用ねじを使用して、ねじがプロファイルおよびリブを同時に横断することにより、リブの軸線に沿ってプロファイルの位置を不動化することができる。
【００５９】
エラストマベルト８６を通路８７へ挿入するステップは手で行なっても、さらにはドライバのような道具を使用してもよい。
【００６０】
一度挿入されたエラストマベルト８６は、その面のうちの一つとプロファイル８５の通路８７の内側壁、およびその面のうちのもう一方の面と太陽光パネルＰのフレームのウィングとが接触している。こうしてエラストマベルト８６は、生じた摩擦によってスリット７の軸線に沿ってパネルを確実に不動化する。
【００６１】
本発明にかかる装置は、太陽光パネルを屋根組みなどの支持部材、フローティング発電機などの上に固定する必要がある、あらゆる技術的解決方法において特に用途が見いだされる。
【００６２】
また、本発明は、太陽光パネルおよび本発明にかかる固定装置を含む設備に関するものであり、前記装置は太陽光パネルの保持を確保する。
【００６３】
例えば、図３に図示した一実施態様によると、部品は合成であり、より詳細にはエラストマ材料製の一続きのプロファイル８である。
【００６４】
しかし当然のことながら、当業者によって、以下に続く特許請求の範囲によって定義したような本発明の範囲を逸脱することなく、他の実施態様を考案することは可能である。
【符号の説明】
【００６５】
１  固定装置
２  保持手段
３、４、５、６  合成部品
５’、６’  部品
７  スリット
８  プロファイル
９  固定用溝
１０  補足リブ（固定用溝９）
１１  ケーブル通過用凹部
１２  可撓性ウィング（プロファイル８の凹部１１）
１２’  ウィング（プロファイル８５の凹部１１）
２０  支持部材
７０  底部（スリット７）
８０  上部ウィング（プロファイル８）
８１  本体（プロファイル８）
８２  接合部
８３  開口部
８４  歯
８５  プロファイル
８６  エラストマベルト
８７  通路（プロファイル８５）
８８  上部ウィング（プロファイル８５）
８９  接合ウィング（プロファイル８５）
Ｐ  太陽光パネル
Ｃ  フレーム（太陽光パネル）
【先行技術文献】
【特許文献】
【００６６】
【特許文献１】独国特許出願公開第１０２００９０１９５４８号明細書
【図１】
2015520306.tif 000003
【図２】
2015520306.tif 000004
【図２ａ】
2015520306.tif 000005
【図３】
2015520306.tif 000006
【図４】
2015520306.tif 000007
【図５】
2015520306.tif 000008
【図６】
2015520306.tif 000009
【図７】
2015520306.tif 000010
【図８】
2015520306.tif 000011
【図９】
2015520306.tif 000012
【図１０】
2015520306.tif 000013
【図１１】
2015520306.tif 000014
【図１２】
2015520306.tif 000015
【国際調査報告】
2015520306.tif 000016
2015520306.tif 000017
2015520306.tif 000018
2015520306.tif 000019